(57)【要約】【課題】着用感の良さと皮膚伸展への追従性とを両立できるボトム衣類を提供する。【解決手段】ボトム衣類１は、フロント部１０と、バック部２０と、一対のサイド部３０と、を有する伸縮性の本体部２を備える。サイド部３０は、本体部２の前面側においてフロント部１０の脇に延在する前側部３１と、前側部３１から脚部５の内裾部分５ａを通って本体部２の後面側へ回り込む回込部３２と、本体部２の後面側において回込部３２からバック部２０の脇に延在する後側部３３と、を含む一体の生地によって構成されている。前側部３１と後側部３３とは、本体部２の脇側で結合されている。前側部３１に対して回込部３２から後側部３３にかけて一体の生地４０が捻られることにより、前側部３１の伸縮方向Ｒ３が幅方向に沿う一方、後側部３３の伸縮方向Ｒ４が上下方向に沿っている。【選択図】図１
2018178312.tif 000002
【特許請求の範囲】
【請求項１】
腰部の前側部分から股部に至る部分を構成するフロント部と、前記腰部の後側部分から前記股部に至る部分を構成するバック部と、前記腰部の横側部分から脚部に至る部分を構成する一対のサイド部と、を有する伸縮性の本体部を備え、
前記サイド部は、前記本体部の前面側において前記フロント部の脇に延在する前側部と、前記前側部から前記脚部の内裾部分を通って前記本体部の後面側へ回り込む回込部と、前記本体部の後面側において前記回込部から前記バック部の脇に延在する後側部と、を含む一体の生地によって構成され、
前記前側部と前記後側部とは、前記本体部の脇側で結合されており、
前記前側部に対して前記回込部から前記後側部にかけて前記一体の生地が捻られることにより、前記前側部の伸縮方向が幅方向に沿う一方、前記後側部の伸縮方向が上下方向に沿っている、ボトム衣類。
【請求項２】
前記フロント部の伸縮方向は、上下方向に沿っている、請求項１に記載のボトム衣類。
【請求項３】
前記バック部の伸縮方向は、幅方向に沿っている、請求項１又は２に記載のボトム衣類。
【請求項４】
前記前側部と前記後側部との結合線は、前記本体部の脇中心よりも前側に位置している、請求項１〜３のいずれか一項に記載のボトム衣類。
【発明の詳細な説明】
【技術分野】
【０００１】
本発明は、ボトム衣類に関する。
【背景技術】
【０００２】
従来、着用者の腰部、臀部及び大腿部などを覆うように形成されたボトム衣類が知られている。このようなボトム衣類の中には、着用者の動作時の動き易さを確保するために、部位によって伸縮方向を異ならせたボトム衣類が提案されている（例えば、特許文献１参照）。この従来のボトム衣類では、伸縮方向が互いに異なる生地を縫い合わせることによって各部位の伸縮方向が切り替えられている。
【先行技術文献】
【特許文献】
【０００３】
【特許文献１】特許第４７８１１３２号公報
【発明の概要】
【発明が解決しようとする課題】
【０００４】
上述した従来のボトム衣類では、伸縮方向の切り替え箇所の数に応じて生地同士を縫い合わせる必要があるため、縫合箇所が多くなるという問題がある。この従来のボトム衣類は、前面側を構成する前身頃と、後面側を構成する後身頃とを互いに縫着することによって形成されているが、股部の下端から脚部の内裾に至るように縫い目が形成されているため、縫い目が肌に当たることによって着用感が低下するおそれがある。
【０００５】
そこで、本発明は、着用感の良さと動き易さとを両立できるボトム衣類を提供することを目的とする。
【課題を解決するための手段】
【０００６】
本発明の一側面に係るボトム衣類は、腰部の前側部分から股部に至る部分を構成するフロント部と、腰部の後側部分から股部に至る部分を構成するバック部と、腰部の横側部分から脚部に至る部分を構成する一対のサイド部と、を有する伸縮性の本体部を備え、サイド部は、本体部の前面側においてフロント部の脇に延在する前側部と、前側部から脚部の内裾部分を通って本体部の後面側へ回り込む回込部と、本体部の後面側において回込部からバック部の脇に延在する後側部と、を含む一体の生地によって構成され、前側部と後側部とは、本体部の脇側で結合されており、前側部に対して回込部から後側部にかけて一体の生地が捻られることにより、前側部の伸縮方向が幅方向に沿う一方、後側部の伸縮方向が上下方向に沿っている。
【０００７】
このボトム衣類では、前側部、回込部及び後側部を含み、前側部と後側部とが本体部の脇側で結合されてなる一体の生地によってサイド部が構成されている。このような一体の生地を用いることで、回込部によって脚部の内裾部分で生地が連続するため、内裾部分に縫い目が形成されることを回避できる。したがって、良好な着用感が得られる。また、このボトム衣類では、前側部に対して回込部から後側部にかけて一体の生地が捻られることにより、前側部の伸縮方向が幅方向に沿う一方で、後側部の伸縮方向が上下方向に沿っている。このため、着用時において例えば着用者が腿上げ等の動作を行った場合に、着用者の動作による皮膚の伸展方向に前側部及び後側部が追従し、動き易さを十分に確保できる。
【０００８】
また、フロント部の伸縮方向は、上下方向に沿っていることが好ましい。これによれば、着用時の股部の安定性を向上できる。
【０００９】
また、バック部の伸縮方向は、幅方向に沿っていることが好ましい。これによれば、例えば着用者が腿上げ等の動作を行った場合に、着用者の動作による皮膚の伸展方向にバック部が追従し、動き易さを一層十分に確保できる。
【００１０】
また、前側部と後側部との結合線は、本体部の脇中心よりも前側に位置していることが好ましい。これによれば、前側部に対し、一体の生地が回込部から後側部にかけて十分に捻られる構成となる。したがって、着用者の動作による皮膚の伸展方向に前側部及び後側部を一層確実に追従させることができる。
【発明の効果】
【００１１】
本発明によれば、着用感の良さと動き易さとを両立できるボトム衣類を提供できる。
【図面の簡単な説明】
【００１２】
【図１】一実施形態に係るボトム衣類の正面図である。
【図２】図１に示したボトム衣類の背面図である。
【図３】図１に示したボトム衣類の展開形状を示す図である。
【図４】（ａ）は、図１のボトム衣類の着用状態を正面側から見た図であり、（ｂ）は、背面側から見た図である。
【図５】（ａ）は、腿上げが行われた状態を側面側から見た図であり、（ｂ）は、（ａ）とは反対側から見た図である。
【発明を実施するための形態】
【００１３】
以下、本発明の一実施形態について、図面を参照しつつ詳細に説明する。なお、以下の説明において、同一又は相当要素には同一符号を用い、重複する説明を省略する。また、以下の説明において、前後方向、上下方向、幅方向等の各方向は、ボトム衣類１を着用した着用者が起立した状態を基準としている。
【００１４】
図１及び図２に示されるボトム衣類１は、例えば男性用下着の一種であるボクサーブリーフとして構成されている。ボトム衣類１は、フロント部１０とバック部２０と一対のサイド部３０，３０とを互いに縫着することによって形成された本体部２を備えている。本体部２は、腰部３、股部４及び一対の脚部５，５を構成し、着用者の腹部、臀部及び大腿部を覆うように形成されている。
【００１５】
腰部３は、本体部２の上部を構成する部分であり、着用者のウエストラインの下方に対応する部分である。腰部３の上辺部３ａには、例えばゴムなどによって形成された伸縮性のテープが設けられる。伸縮性のテープは、本体部２の生地を折り返して袋状とした中に挿入されていてもよいし、或いは省略することも可能である。股部４は、本体部２の下部中央を構成する部分であり、着用者の股間に対応する部分である。脚部５は、本体部２の下部脇側を構成する部分であり、着用者の脚部を通す部分である。
【００１６】
フロント部１０は、本体部２の前面側において上下に略帯状に延在し、腰部３の前側部分３ｂから股部４に至る部分を構成している。フロント部１０は、前中心Ａを挟んで左右対称に配置された一対の帯状部１１，１１を前中心Ａで互いに縫着することによって形成されている。前中心Ａにおける一対の帯状部１１，１１の縫着は、立体縫製となっている。これにより、フロント部１０は、本体部２の前面側にむかって膨らむ立体的な形状となっている。左右の帯状部１１，１１の脇側は、本体部２の前面側において、一対のサイド部３０，３０にそれぞれ縫着されている。
【００１７】
バック部２０は、腰部３の後側部分３ｃから股部４に至る部分を構成している。バック部２０は、腰部３側に近づくほど幅広となるように、背面側から見て略台形状に形成されている。バック部２０の股部４側は、フロント部１０に縫着されており、バック部２０の両脇側は、本体部２の背面側において、一対のサイド部３０，３０にそれぞれ縫着されている。
【００１８】
サイド部３０は、腰部３の横側部分３ｄから脚部５に至る部分を構成している。サイド部３０は、本体部２の前面側においてフロント部１０の脇に延在する前側部３１と、前側部３１から脚部５の内裾部分５ａを通って本体部２の後面側へ回り込む回込部３２と、本体部２の後面側において回込部３２からバック部２０の脇に延在する後側部３３と、を含む一体の生地４０によって構成されている。
【００１９】
前側部３１は、本体部２の前面側において上下に延在し、下側に向かうにつれてやや幅広となる略台形状となっている。回込部３２は、本体部２の前面側及び後面側にわたって延在し、脚部５の内裾部分５ａを構成している。後側部３３は、本体部２の後面側において延在すると共に、後面側から脇中心Ｃを介して前面側へと回り込み、本体部２の脇側において前側部３１に縫着されている。前側部３１と後側部３３との結合線Ｌは、脇中心Ｃよりも前側に位置している。前側部３１の前中心Ａ側は、フロント部１０に縫着されており、後側部３３の後中心Ｂ側は、バック部２０に縫着されている。
【００２０】
フロント部１０、バック部２０及びサイド部３０は、伸縮性を有する素材によって形成されている。これらの部材を構成する素材としては、例えばベア天竺、フライス、片袋、ジャカード、ツーウェイトリコット、パワーネット、トリコネットなどが挙げられる。フロント部１０、バック部２０及び一対のサイド部３０は、例えば互いに同一の素材によって形成されている。
【００２１】
図１及び図２に示されるように、フロント部１０の伸縮方向Ｒ１は、上下方向に沿っており、バック部２０の伸縮方向Ｒ２は、幅方向に沿っている。ここで、伸縮方向とは、例えば生地の経方向、緯方向のうち伸び易い方向であり、フロント部１０及びバック部２０の伸縮方向Ｒ１，Ｒ２は、生地の伸縮方向を適切に配置することによって調整されている。
【００２２】
サイド部３０においては、前側部３１に対して回込部３２から後側部３３にかけて一体の生地４０が捻られることにより、前側部３１の伸縮方向Ｒ３が幅方向に沿う一方、後側部３３の伸縮方向Ｒ４が上下方向に沿っている。なお、上下方向とは、腰部３と股部４とが対向する方向（前中心Ａに沿う方向）であり、幅方向とは、腰部３に沿った方向（本体部２を正面から見た場合に前中心Ａに直交する方向）である。
【００２３】
図３は、フロント部１０、バック部２０及びサイド部３０の展開形状を示す図である。図３では、互いに縫着される縫着端辺同士に同一のマークを付している。実際には、これらの構成部材同士の縫着には縫い代が必要であるが、説明の簡単化のために縫い代は省略されている。
【００２４】
図３に示されるように、展開形状において、フロント部１０の帯状部１１は、腰部３を構成する腰部端辺１２と、他方の帯状部１１に縫着される前側縫着端辺１３と、股部４を構成する股部縫着端辺１４と、サイド部３０に縫着される脇側縫着端辺１５と、を有している。
【００２５】
腰部端辺１２は、腰部３の上辺部３ａに縫着される部分に相当し、略直線状となっている。腰部端辺１２は、フロント部１０、バック部２０及びサイド部３０の縫着によってバック部２０の腰部端辺２１及びサイド部３０の腰部端辺３４，３５と連続し、腰部３を構成する。前側縫着端辺１３は、腰部端辺１２の前端と股部縫着端辺１４の前端との間で上下に延びている。本実施形態のボトム衣類１は男性用下着であるため、前側縫着端辺１３は、他方の帯状部１１の前側縫着端辺１３に向けて凸となるように外向きに緩やかに湾曲した部分を有する形状となっている。このように構成された前側縫着端辺１３を他方の帯状部１１の前側縫着端辺１３と縫着することで、ボトム衣類１の前側部分が前方に膨らむ立体的な形状となる。
【００２６】
股部縫着端辺１４は、内向きに緩やかに湾曲した形状となっており、前側縫着端辺１３の下端と脇側縫着端辺１５の下端との間で左右に延びている。股部縫着端辺１４は、股部４の下端に相当する位置でバック部２０の股部縫着端辺２２と縫着される。脇側縫着端辺１５は、その一部が内向きに緩やかに湾曲した形状となっており、腰部端辺１２の後端と股部縫着端辺１４の後端との間で上下に延びている。脇側縫着端辺１５は、本体部２の前面側においてサイド部３０の前後側縫着端辺３６の前側部分３６ａと縫着される。なお、脇側縫着端辺１５は、少なくとも一部が内向きに緩やかに湾曲した形状となっていればよく、その全体が内向きに緩やかに湾曲した形状となっていてもよい。或いは、脇側縫着端辺１５は、略直線状となっていてもよい。
【００２７】
フロント部１０を構成する生地の伸縮方向Ｒ１は、前側縫着端辺１３及び脇側縫着端辺１５に沿う方向となっている。これにより、フロント部１０、バック部２０及びサイド部３０の縫着後に、フロント部１０の伸縮方向Ｒ１が上下方向に沿うこととなる。
【００２８】
展開形状において、バック部２０は、腰部３を構成する腰部端辺２１と、フロント部１０に縫着される股部縫着端辺２２と、サイド部３０に縫着される一対の脇側縫着端辺２３，２３と、を有している。
【００２９】
腰部端辺２１は、腰部３の上辺部３ａに縫着される部分に相当し、略直線状となっている。腰部端辺２１は、フロント部１０、バック部２０及びサイド部３０の縫着によってフロント部１０の腰部端辺１２及びサイド部３０の腰部端辺３４，３５と連続し、腰部３を構成する。股部縫着端辺２２は、略円弧状をなすように内向きに湾曲した形状となっており、一対の脇側縫着端辺２３の下端の間で延びている。股部縫着端辺２２は、股部４の下端に相当する位置でフロント部１０の一対の股部縫着端辺１４，１４のそれぞれと縫着される。
【００３０】
一対の脇側縫着端辺２３，２３は、腰部端辺２１の端部と股部縫着端辺２２の端部との間で互いに対向するように上下に延びている。一対の脇側縫着端辺２３，２３は、股部縫着端辺２２側に近づくほど互いに近づくように外向きに緩やかに湾曲した形状となっている。脇側縫着端辺２３は、本体部２の後面側においてサイド部３０の前後側縫着端辺３６の後側部分３６ｂと縫着される。
【００３１】
バック部２０を構成する生地の伸縮方向Ｒ２は、腰部端辺２１に沿う方向となっている。これにより、フロント部１０、バック部２０及びサイド部３０の縫着後に、バック部２０の伸縮方向Ｒ２が幅方向に沿うこととなる。
【００３２】
展開形状において、サイド部３０は、腰部３を構成する一対の腰部端辺３４，３５と、フロント部１０及びバック部２０に縫着される前後側縫着端辺３６と、互いに縫着される一対の脇側縫着端辺３７，３８と、脚部５を構成する脚部端辺３９と、を有している。
【００３３】
腰部端辺３４，３５は、腰部３の上辺部３ａに縫着される部分に相当し、略直線状となっている。腰部端辺３４，３５は、フロント部１０、バック部２０及びサイド部３０の縫着によってフロント部１０の腰部端辺１２及びバック部２０の腰部端辺２１と連続し、腰部３を構成する。より詳細には、腰部端辺３４が前側部３１の上辺部を構成し、腰部端辺３５が後側部３３の上辺部を構成する。展開形状において、腰部端辺３４の延在方向と腰部端辺３５の延在方向とは、互いに交差（例えば、略直交）している。
【００３４】
前後側縫着端辺３６は、内向きに緩やかに湾曲した形状となっており、腰部端辺３４の前端と腰部端辺３５の後端との間で延びている。前後側縫着端辺３６の前側部分３６ａは、フロント部１０の脇側縫着端辺１５と縫着され、前後側縫着端辺３６の後側部分３６ｂは、バック部２０の脇側縫着端辺２３と縫着される。これにより、前側部分３６ａが前側部３１の前中心Ａ側の辺部を構成し、後側部分３６ｂが後側部３３の後中心Ｂ側の辺部を構成する。また、前後側縫着端辺３６の中間部分（前側部分３６ａにおける後側部分３６ｂ側の部分、及び後側部分３６ｂにおける前側部分３６ａ側の部分）により、回込部３２の前中心Ａ側の辺部が構成される。
【００３５】
脇側縫着端辺３７は、内向きに緩やかに湾曲した形状となっており、前後側縫着端辺３６の前側部分３６ａと対向するように腰部端辺３４の後端から延びている。脇側縫着端辺３８は、前後側縫着端辺３６の後側部分３６ｂと対向するように腰部端辺３５の前端から略直線状に延びている。脇側縫着端辺３７の延在方向と脇側縫着端辺３８の延在方向とは、互いに交差（例えば、略直交）している。脇側縫着端辺３７，３８は、脇側縫着端辺３７，３８が互いに沿うようにサイド部３０を構成する一体の生地４０を捻った状態で、互いに縫着される。すなわち、前側部３１に対して回込部３２から後側部３３にかけて一体の生地４０が捻られた状態で、脇側縫着端辺３７，３８が互いに縫着される。この縫着部分が、上述した前側部３１と後側部３３との結合線Ｌを形成する。
【００３６】
湾曲形状の脇側縫着端辺３７と略直線状の脇側縫着端辺３８とが縫着されることにより、脇側縫着端辺３７，３８の縫着は立体縫製となっている。また、上述したように、前側部３１と後側部３３との結合線Ｌは、本体部２の脇中心Ｃよりも前側に位置している。このような構成により、脚部端辺３９によって形成される裾の開口部がやや前方を向き、着用者の脚の動き易さを向上できる。なお、脇側縫着端辺３７が略直線状であり、脇側縫着端辺３８が内向きに緩やかに湾曲した形状であってもよいし、脇側縫着端辺３７，３８の双方が内向きに緩やかに湾曲した形状であってもよい。これらの場合でも、脚部端辺３９によって形成される裾の開口部がやや前方を向き、着用者の脚の動き易さを向上できる。
【００３７】
脚部端辺３９は、脇側縫着端辺３７，３８の下端の間で延びており、腰部端辺３４と対向するように脇側縫着端辺３７の下端から略直線状に延在する直線部分３９ａと、腰部端辺３５と対向するように脇側縫着端辺３８の下端から略直線状に延在する直線部分３９ｂと、内向きに緩やかに湾曲して直線部分３９ａ，３９ｂ同士を接続する湾曲部分３９ｃと、を有している。脇側縫着端辺３７，３８の縫着によって直線部分３９ａ，３９ｂが連続し、脚部端辺３９が脚部５を構成する。このとき、湾曲部分３９ｃによって脚部５の内裾部分５ａが構成される。なお、裾の長さによっては、直線部分３９ａ，３９ｂが湾曲した形状となっていてもよい。また、本実施形態では、脚部端辺３９には端始末不要の生地が用いられているが、脚部端辺３９にパイピングや折り返しなどの端始末が施されていてもよい。
【００３８】
サイド部３０を構成する生地４０の伸縮方向Ｒ３，Ｒ４は、腰部端辺３４及び脇側縫着端辺３８に沿う方向となっている。換言すれば、サイド部３０を構成する生地４０の伸縮方向Ｒ３，Ｒ４は、腰部端辺３５及び脇側縫着端辺３７と交差（例えば、略直交）する方向となっている。上述したように、縫着後のサイド部３０においては、前側部３１に対して回込部３２から後側部３３にかけて一体の生地４０が捻られた状態となっている。これにより、フロント部１０、バック部２０及びサイド部３０の縫着後には、前側部３１の伸縮方向Ｒ３が幅方向に沿う一方、後側部３３の伸縮方向Ｒ４が上下方向に沿うこととなる。
【００３９】
図４（ａ）は、ボトム衣類１の着用状態を正面側から見た図であり、図４（ｂ）は、背面側から見た図である。図４に示されるように、着用時には、伸縮力によって本体部２が着用者に密着し、フロント部１０に着用者の男性器５１が収容され、バック部２０によって着用者の臀部５２が覆われる。また、サイド部３０の前側部３１によって着用者の内腿部５３が覆われると共に、後側部３３によって着用者の外腿部５４が覆われる。
【００４０】
ここで、上述したとおり、ボトム衣類１では、前側部３１、回込部３２及び後側部３３を含み、前側部３１と後側部３３とを本体部２の脇側で結合されてなる一体の生地４０によってサイド部３０が構成されている。このような一体の生地４０を用いることで、回込部３２によって脚部５の内裾部分５ａで生地４０が連続するため、内裾部分５ａに縫い目が形成されることを回避できる。したがって、良好な着用感が得られる。
【００４１】
また、図５に示されるように、例えば着用者が腿上げを行った場合、内腿部５３側では皮膚が幅方向に伸展する一方、外腿部５４側では皮膚が上下方向に伸展する。これに対し、ボトム衣類１では、前側部３１に対して回込部３２から後側部３３にかけて一体の生地４０が捻られることにより、前側部３１の伸縮方向Ｒ３が幅方向に沿う一方で、後側部３３の伸縮方向Ｒ４が上下方向に沿っている。このため、着用時において例えば着用者が腿上げ等の動作を行った場合に、着用者の動作による皮膚の伸展方向に前側部３１及び後側部３３が追従し、動き易さを十分に確保できる。
【００４２】
また、ボトム衣類１では、フロント部１０の伸縮方向Ｒ１が上下方向に沿っている。これにより、着用時の股部４の安定性を向上できる。また、ボトム衣類１では、バック部２０の伸縮方向Ｒ２が幅方向に沿っている。これにより、例えば着用者が腿上げ等の動作を行った場合に、着用者の動作による皮膚の伸展方向にバック部２０が追従し、動き易さを一層十分に確保できる。
【００４３】
また、ボトム衣類１では、前側部３１と後側部３３との結合線Ｌが本体部２の脇中心Ｃよりも前側に位置している。これにより、前側部３１に対し、一体の生地４０が回込部３２から後側部３３にかけて十分に捻られる構成となる。したがって、着用者の動作による皮膚の伸展方向に前側部３１及び後側部３３を一層確実に追従させることができる。
【００４４】
以上、本発明の一実施形態について説明したが、本発明は、上記実施形態に限られない。例えば、上記実施形態では、前側部３１と後側部３３との結合線Ｌが脇中心Ｃよりも前側に位置していたが、結合線Ｌは、脇中心Ｃよりも後側に位置していてもよいし、或いは脇中心Ｃ上に位置していてもよい。また、上記実施形態では、フロント部１０、バック部２０及び一対のサイド部３０が互いに同一の素材によって形成されていたが、これらの部材は、伸縮性を有する素材によって構成されていればよく、互いに異なる素材によって形成されてもよい。また、上記実施形態では、部材同士が縫着によって結合されていたが、部材同士は接着等によって結合されてもよい。
【００４５】
また、上記実施形態では、ボトム衣類として男性用パンツを例示したが、ボトム衣類は、男性用及び女性用を問わず、左右の脚部の長さを更に下方に伸ばしたロングタイプのボクサーブリーフにも適用可能であるし、肌着ボトム、スパッツ、カルソン、スポーツ用タイツといった他のボトム衣類にも適用可能である。また、着用状態において着用者の臍のラインよりも下方に腰部が位置するローウエストタイプ（ローライズタイプ）であってもよい。
【符号の説明】
【００４６】
１…ボトム衣類、２…本体部、３…腰部、３ｂ…前側部分、３ｃ…後側部分、３ｄ…横側部分、４…股部、５…脚部、５ａ…内裾部分、１０…フロント部、２０…バック部、３０…サイド部、３１…前側部、３２…回込部、３３…後側部、４０…生地、Ａ…前中心、Ｂ…後中心、Ｃ…脇中心、Ｌ…結合線、Ｒ１…フロント部の伸縮方向、Ｒ２…バック部の伸縮方向、Ｒ３…前側部の伸縮方向、Ｒ４…後側部の伸縮方向。
【図１】
2018178312.tif 000003
【図２】
2018178312.tif 000004
【図３】
2018178312.tif 000005
【図４】
2018178312.tif 000006
【図５】
2018178312.tif 000007